(57)【要約】【課題】  遠距離と近距離の両方及びその間の中間距離の全域に亘って快適に見ることができる眼鏡用レンズ及びそれを備える眼鏡を提供する。【解決手段】  レンズの中央付近に設けられる所定部分において度数が最も高く、そこから外側に向かって度数が徐々に低くなるように滑らかに度数変化することを特徴とする。【選択図】図１
2020109435.tif 000002
【特許請求の範囲】
【請求項１】
レンズの所定部分において度数が最も高く、そこから外側に向かって度数が徐々に低くなるように滑らかに度数変化することを特徴とする眼鏡用レンズ。
【請求項２】
レンズの所定部分において度数が最も高く、そこからレンズの周縁部に至るまで度数が徐々に低くなるように滑らかに度数変化することを特徴とする眼鏡用レンズ。
【請求項３】
レンズの所定部分において度数が最も高く、そこから外側に向かって度数が徐々に低くなる無数の環状を成すように滑らかに度数変化することを特徴とする眼鏡用レンズ。
【請求項４】
レンズの所定部分において度数が最も高く、そこからレンズの周縁部に至るまで度数が徐々に低くなる無数の環状を成すように滑らかに度数変化することを特徴とする眼鏡用レンズ。
【請求項５】
前記無数の環状は、前記無数の環状は、前記所定部分に対して同心円状であることを特徴とする請求項３又は４記載の眼鏡用レンズ。
【請求項６】
前記所定部分からの距離に応じて略一定の割合で度数変化することを特徴とする請求項１乃至５の何れかに記載の眼鏡用レンズ。
【請求項７】
レンズの所定部分において度数が最も高く、そこから外側に向かって度数が徐々に低くなるように段階的に僅かずつ度数変化することを特徴とする眼鏡用レンズ。
【請求項８】
レンズの所定部分において度数が最も高く、そこからレンズの周縁部に至るまで度数が徐々に低くなるように段階的に僅かずつ度数変化することを特徴とする眼鏡用レンズ。
【請求項９】
レンズの所定部分において度数が最も高く、そこから外側に向かって度数が徐々に低くなる多重の環状部分を成すように段階的に僅かずつ度数変化することを特徴とする眼鏡用レンズ。
【請求項１０】
請求項１０の発明は、レンズの所定部分において度数が最も高く、そこからレンズの周縁部に至るまで度数が徐々に低くなる多重の環状部分を成すように段階的に僅かずつ度数変化することを特徴とする眼鏡用レンズ。
【請求項１１】
前記多重の環状部分は、前記所定部分に対して同心円状であることを特徴とする請求項９又は１０記載の眼鏡用レンズ。
【請求項１２】
前記多重の環状部分は、各々の外径部分と内径部分で挟まれる幅が相互に同じで、且つ前記所定部分からの距離に応じて各段階の度数が略一定度数ずつ変化することを特徴とする９乃至１１の何れかに記載の眼鏡用レンズ。
【請求項１３】
レンズの所定部分において度数が最も高く、そこから外側に向かって度数が徐々に低くなるように略一定の割合で度数変化することを特徴とする眼鏡用レンズ。
【請求項１４】
レンズの所定部分において度数が最も高く、そこからレンズの周縁部に至るまで度数が徐々に低くなるように略一定の割合で度数変化することを特徴とする眼鏡用レンズ。
【請求項１５】
レンズの所定部分において度数が最も高く、そこから外側に向かって度数が徐々に低くなる多重の環状部分を成すように略一定の割合で度数変化することを特徴とする眼鏡用レンズ。
【請求項１６】
レンズの所定部分において度数が最も高く、そこからレンズの周縁部に至るまで度数が徐々に低くなる多重の環状部分を成すように略一定の割合で度数変化することを特徴とする眼鏡用レンズ。
【請求項１７】
レンズの所定部分から外側に向かって度数が高低順に滑らか且つ徐々に変化することを特徴とする眼鏡用レンズ。
【請求項１８】
レンズの所定部分から外側に向かって度数が高低順に僅かずつ段階的に変化することを特徴とする眼鏡用レンズ。
【請求項１９】
レンズの所定部分から外側に向かって度数が高低順に略一定の割合で徐々に変化することを特徴とする眼鏡用レンズ。
【請求項２０】
レンズの所定部分から外側に向かって度数が高低順に徐々に変化することを特徴とする眼鏡用レンズ。
【請求項２１】
請求項１乃至２０の何れかに記載の眼鏡用レンズを両眼部に備えることを特徴とする眼鏡。
【請求項２２】
前記所定部分は、当該眼鏡におけるレンズの中心位置よりも下側にオフセット配置されていることを特徴とする請求項２２記載の眼鏡。
【請求項２３】
前記所定部分は、当該眼鏡を装着する使用者のアイポイントに相対向する位置よりも下側にオフセット配置されていることを特徴とする請求項２２又は２３記載の眼鏡。
【請求項２４】
請求項１乃至２４の何れかに記載の眼鏡用レンズの光学面を転写するための転写面を有してなることを特徴とする眼鏡レンズ用樹脂成型金型。
【発明の詳細な説明】
【技術分野】
【０００１】
本発明は、眼鏡用レンズ及び眼鏡に関する。
【背景技術】
【０００２】
従来、一つの眼鏡で遠距離と近距離及びその間の中距離を見られるようにするアイデアが提案されている。例えば、特開平３−２８４７１６号公報（特許文献１）には一枚のレンズに遠距離用から近距離用まで距離に応じた複数の焦点距離を有する累積多焦点眼鏡レンズが開示されている。かかる累進多焦点眼鏡レンズでは、一般に遠方を見るときは視線が上方に向けられ、読書やスマホ操作等のいわゆる手許を見るときは、視線が下方に向けられることから、レンズの上半分に遠距離用エリア、下半分の上部に中距離用エリア、最下部に近距離用エリアが設けられている。
【０００３】
また、特開２００３−２９２１６号公報（特許文献２）には一枚のレンズ１の全体に亘って遠距離用、中距離用及び短距離用の焦点距離を有する小領域レンズ部３Ａ、３Ｂ、３Ｃを多数有する老眼鏡用レンズが提案されている。これらの焦点距離が異なる小領域レンズ部を無限規則的又は偏りなくランダムに配置することで、見る物の距離に適した小領域レンズ部を装着者の脳が自動的に選択して、そこを通して対象物を見るため、使い勝手が良いと説明されている。
【先行技術文献】
【特許文献】
【０００４】
【特許文献１】特開平３−２８４７１６号公報
【特許文献２】特開２００３−２９２１６号公報
【発明の概要】
【発明が解決しようとする課題】
【０００５】
しかし、上記特許文献１のような累進多焦点眼鏡レンズには、比較的広い遠距離用、中距離用及び近距離用のエリアとそれらを相互接続する狭い接続エリアがあり、接続エリアでは遠距離用から中距離用或いは中距離用から近距離用へ狭い幅で急激に度数変化させているため、歪みが生じ易くピントの合う範囲が狭く、視認性があまり良くないという問題がある。さらに、遠距離用エリアの視野は比較的広く確保されている一方において、中距離用及び近距離用エリアの視野は下半分の中央における縦長の狭い範囲に限られており、そこから左右に外れると、急に見え方が不鮮明になって、大変不快に感じることがある。しかも近距離用エリアはレンズの最下部に設けられているため、スマホ画面や読書のために手許を見る際に、極端に視線を下げて眼が疲れ易くなるとか、顔をやや上向きにする不自然な姿勢を取ることになるという問題がある。
【０００６】
上記特許文献２の老眼鏡用レンズでは、遠距離用、中距離用及び短距離用の３種類の焦点距離のみが設定されているだけであり、これらの間の中間的な距離には対応していないため、使用者が頭や体を前後させたり、物を持つ手を屈伸させたり、自ら居場所を移動する等して、目と見る物の距離を調節しなければならない。なお、中間的距離に対応できるように焦点距離の種類を増やすと、逆に各距離に対して見えにくい小領域レンズ部が増えることになるため、小領域レンズ部が無限規則的又はランダムに配置される構成においては、視線が僅かに動いただけで見えにくい小領域レンズ部へ掛かってピント外れを生じることが頻発して、使用者が不快に感じたり、目眩を起こしたりするという問題がある
【０００７】
上記のような事情に鑑みて、本発明は、遠距離と近距離の両方及びその間の中間距離を鮮明に見ることができて、スマホや読書等で手許を見る際に視線を極端に下げたりすることなく自然な感じで見ることができる老眼鏡用レンズ及び老眼鏡を提供する。
【課題を解決するための手段】
【０００８】
請求項１の発明は、レンズの所定部分において度数が最も高く、そこから外側に向かって度数が徐々に低くなるように滑らかに度数変化することを特徴とする眼鏡用レンズを提供する。
【０００９】
請求項２の発明は、レンズの所定部分において度数が最も高く、そこからレンズの周縁部に至るまで度数が徐々に低くなるように滑らかに度数変化することを特徴とする眼鏡用レンズを提供する。
【００１０】
請求項３の発明は、レンズの所定部分において度数が最も高く、そこから外側に向かって度数が徐々に低くなる無数の環状を成すように滑らかに度数変化することを特徴とする眼鏡用レンズを提供する。
【００１１】
請求項４の発明は、レンズの所定部分において度数が最も高く、そこからレンズの周縁部に至るまで度数が徐々に低くなる無数の環状を成すように滑らかに度数変化することを特徴とする眼鏡用レンズを提供する。
【００１２】
請求項５の発明は、前記無数の環状は、前記所定部分に対して同心円状であることを特徴とする請求項３又は４記載の眼鏡用レンズを提供する。
【００１３】
請求項６の発明は、前記所定部分からの距離に応じて略一定の割合で度数変化することを特徴とする請求項１乃至５の何れかに記載の眼鏡用レンズを提供する。
【００１４】
請求項７の発明は、レンズの所定部分において度数が最も高く、そこから外側に向かって度数が徐々に低くなるように段階的に僅かずつ度数変化することを特徴とする眼鏡用レンズを提供する。
【００１５】
請求項８の発明は、レンズの所定部分において度数が最も高く、そこからレンズの周縁部に至るまで度数が徐々に低くなるように段階的に僅かずつ度数変化することを特徴とする眼鏡用レンズを提供する。
【００１６】
請求項９の発明は、レンズの所定部分において度数が最も高く、そこから外側に向かって度数が徐々に低くなる多重の環状部分を成すように段階的に僅かずつ度数変化することを特徴とする眼鏡用レンズを提供する。
【００１７】
請求項１０の発明は、レンズの所定部分において度数が最も高く、そこからレンズの周縁部に至るまで度数が徐々に低くなる多重の環状部分を成すように段階的に僅かずつ度数変化することを特徴とする眼鏡用レンズを提供する。
【００１８】
請求項１１の発明は、前記多重の環状部分は、前記所定部分に対して同心円状であることを特徴とする請求項９又は１０記載の眼鏡用レンズを提供する。
【００１９】
請求項１２の発明は、前記多重の環状部分は、各々の外径部分と内径部分で挟まれる幅が相互に同じで、且つ前記所定部分からの距離に応じて各段階の度数が略一定度数ずつ変化することを特徴とする９乃至１１の何れかに記載の眼鏡用レンズを提供する。
【００２０】
請求項１３の発明は、レンズの所定部分において度数が最も高く、そこから外側に向かって度数が徐々に低くなるように略一定の割合で度数変化することを特徴とする眼鏡用レンズを提供する。
【００２１】
請求項１４の発明は、レンズの所定部分において度数が最も高く、そこからレンズの周縁部に至るまで度数が徐々に低くなるように略一定の割合で度数変化することを特徴とする眼鏡用レンズを提供する。
【００２２】
請求項１５の発明は、レンズの所定部分において度数が最も高く、そこから外側に向かって度数が徐々に低くなる多重の環状部分を成すように略一定の割合で度数変化することを特徴とする眼鏡用レンズを提供する。
【００２３】
請求項１６の発明は、レンズの所定部分において度数が最も高く、そこからレンズの周縁部に至るまで度数が徐々に低くなる多重の環状部分を成すように略一定の割合で度数変化することを特徴とする眼鏡用レンズを提供する。
【００２４】
請求項１７の発明は、レンズの所定部分から外側に向かって度数が高低順に滑らか且つ徐々に変化することを特徴とする眼鏡用レンズを提供する。
【００２５】
請求項１８の発明は、レンズの所定部分から外側に向かって度数が高低順に僅かずつ段階的に変化することを特徴とする眼鏡用レンズを提供する。
【００２６】
請求項１９の発明は、レンズの所定部分から外側に向かって度数が高低順に略一定の割合で徐々に変化することを特徴とする眼鏡用レンズを提供する。
【００２７】
請求項２０の発明は、レンズの所定部分から外側に向かって度数が高低順に徐々に変化することを特徴とする眼鏡用レンズを提供する。
【００２８】
請求項２１の発明は、請求項１乃至２０の何れかに記載の眼鏡用レンズを両眼部に備えることを特徴とする眼鏡を提供する。
【００２９】
請求項２２の発明は、前記所定部分は、当該眼鏡におけるレンズの中心位置よりも下側にオフセット配置されていることを特徴とする請求項２２記載の眼鏡を提供する。
【００３０】
請求項２３の発明は、前記所定部分は、当該眼鏡を装着する使用者のアイポイントに相対向する位置よりも下側にオフセット配置されていることを特徴とする請求項２２又は２３記載の眼鏡を提供する。
【００３１】
請求項２４の発明は、請求項１乃至２４の何れかに記載の眼鏡用レンズの光学面を転写するための転写面を有してなることを特徴とする眼鏡レンズ用樹脂成型金型を提供する。
【発明の効果】
【００３２】
本発明に係る眼鏡用レンズでは、一枚のレンズに少しずつ度数の異なる部分が設けられているので、見る物の距離に適したレンズ部分を脳の働きで無意識に選択して、その部分を通して該当対象物が明瞭に視認可能となる。特にレンズの所定部分から外側に向かって度数が徐々に変化するように設定されており、何れの度数に対しても同様の幅が割かれており、あるいは略一定の割合で変化するため、上記従来の累進多焦点眼鏡レンズのように遠距離用、中距離用及び近距離用の各エリアを相互接続する狭い接続エリア内で急激に度数変化させるものとは異なり、何れの距離に対してもピントを合わせ易く、歪みを生じにくい構成である。また、度数違いのマイクロレンズを無数規則的又はランダムに配置したものとも異なり、広い度数範囲を確保しながら、視線を僅かに動かしたぐらいでは極端なピント外れを生じることがなく、勿論、目眩を起こしたりする心配もない。
【００３３】
本発明の眼鏡用レンズでは、レンズの所定部分を中心にそこから外側に向かって広がるように、度数が滑らかに或いは段階的にほんの少しずつ高低順に変化するように設定されているため、使用者は使い始めてすぐに慣れて快適に物を見ることができるようになり、視線を僅かに動かしたぐらいでは、不鮮明なエリアに掛かって不快に感じたり、極端なピント外れを生じたりすることがなく、目眩を起こす心配もない。また、度数変化の起点となる所定部分を手許用に適した最も高い度数に設定することで、読書やスマホ操作で目を凝らして細かい文字を見るようなときに、極端な下向き等の不自然な視線にする必要がなく、眼の疲れが少なく済むものである。
【００３４】
また、従来の遠・中・近距離のような粗い度数設定ではなく、細かな段階の度数設定がなされていることにより、使用者は、自分に適した度数範囲が大まかに分かっていれば、細かな視力検査や度数調整等をしなくても、各眼鏡に設定された度数範囲をもとに購入すべき商品を選べるようになる。また、老眼進行で視力が経年変化しても、脳が見たい距離に適した度数を適宜選択して、自動調整するため、眼鏡を一々作り直す必要はない。したがって、読書、スマホ操作、パソコン操作及びテレビ観賞その他の様々な使用状況や朝晩の視力変化等に対しても同じレンズ、同じ眼鏡で対応可能となるものである。
【００３５】
上記眼鏡用レンズを両眼部に備える眼鏡によれば、上述の効果が得られることは勿論、左右視力が多少異なる場合でも自動調整機能により同じレンズを使えるので、結果として製作コストを抑制することができる。また、最高度数を有する所定部分をレンズの上下方向の中央位置或いは使用者のアイポイントの中心位置に相対する位置よりも下側にオフセット配置することにより、視線を下に向けるだけで、読書やスマホ操作等の手許をごく自然に見られるようになる。なお、上記眼鏡用レンズの光学面を転写するための転写面を有してなる眼鏡レンズ用樹脂成型金型によれば、上記眼鏡用レンズを容易に製造することができるものである。
【図面の簡単な説明】
【００３６】
【図１】本発明の第１実施例に係る眼鏡の正面図とそれに用いられる眼鏡用レンズを部分的に拡大した図（丸枠内）を示す。
【図２】第１実施例の眼鏡用レンズを示す。
【図３】第１実施例の眼鏡用レンズの変形例を示す。
【図４】本発明の第２実施例に係る眼鏡の正面図とそれに用いられる眼鏡用レンズの度数分布を示す。
【図５】本発明の第２実施例に係る眼鏡の変形例の正面図とそれに用いられる眼鏡用レンズの度数分布を示す。
【発明を実施するための形態】
【００３７】
以下、本発明の実施形態に係る眼鏡を図面参照しながら説明する。
【００３８】
（第１実施例）
老眼鏡1は、図１に示すように、二枚の老眼鏡用レンズ２、２と、これらのレンズを両眼部に取り付けられて使用者の顔に装着されるフレーム３で構成される。老眼鏡用レンズ２は、アクリルやポリカーボネート等、無色の又は着色した透明樹脂材料からなり、図１の丸枠内に示すように、多数の視力矯正用のマイクロレンズ４を相互に隙間なく隣接配置するように一体的に樹脂成形されている。フレーム３は、アセテート等の樹脂又はチタン、チタン合金等の軽い金属で形成されている。図１において、フレーム３のテンプル（つる）や鼻当ては図示省略されている。
【００３９】
老眼鏡用レンズ２は、多数のマイクロレンズ４が配置されているレンズの光学面を転写するための転写面を有してなるレンズ用射出成形金型を型締めして、そのキャビティ内に溶融した樹脂材料を射出することにより成形される。図１に示すように、老眼鏡用レンズ２の光学面にはその中央付近に設けられた所定部分２Ａから外側に向かって、縦横寸法が数十ミクロンメートル程度（例えば５０〜１００ミクロンメートル）の極めて小さいマイクロレンズ４が多数配置されている。一枚の老眼鏡レンズ２に配置されるマイクロレンズ４の個数は、レンズが取り付けられるフレームに応じて様々な形状や大きさに加工される関係上、一概に言えないが、その中央付近から周縁部に至るまでの間に１５０〜３００個程度のマイクロレンズが並ぶように配置されている。
【００４０】
マイクロレンズ４は、すべて単焦点レンズで収差（特に球面収差、コマ収差、非点収差）をなくすように光学面が非球面により形成されている非球面レンズである。したがって、何れのマイクロレンズを通して見た場合でも焦点距離さえ合致すれば、歪み、滲み、ボケ等生じることなく、対象物を鮮明に視認することができる。なお、多数の非球面レンズは、樹脂成形金型を用いることにより容易に形成可能である。また、各マイクロレンズ４は、図１に示すように外周部が正六角形に形成されており、老眼鏡レンズ全体においてハニカム構造を成すように隙間なく隣接配置されている。したがって、視力矯正に寄与しない非矯正領域がなくなって視界がクリアになり、対象物を一層鮮明に視認することができるほか、単位面積当りのマイクロレンズの数が増える結果、幅広い度数範囲が得られる。
【００４１】
図２は、老眼鏡レンズ２において、レンズの中心位置（上下及び左右方向の中央位置）２Ｘよりもやや下側にオフセット配置されている所定部分２Ａの周辺を拡大して、マイクロレンズ４の配列を示したものである。ここで、オフセット配置とは所定部分２Ａの中心位置をレンズの中心位置２Ｘ（図１）よりも下側にずらしていることである。この老眼鏡レンズ２の光学面には前記所定部分２Ａに配置される１個のマイクロレンズ（以下、特定マイクロレンズという。）４１を中心として、その周囲を幾重にも包囲する概ね六角形の環状マイクロレンズ群４２、４３、４４、４５・・・（以下、まとめて単に４ｉと表記する。）が隙間なく多数配置されている。なお、マイクロレンズ４は相互に一体成形されているため、図に示すような明確な境界線が表れるものではなく、太く描かれた境界線は単に各マイクロレンズ群を区別し易くするためのものである。
【００４２】
図２では、所定部分２Ａの周辺のみを部分的に取り出して描いているが、実際には矢印で示すように、環状マイクロレンズ群４ｉは、所定部分２Ａから外側に向かって老眼鏡レンズ２の周縁部に至るまで連続的に広がる多重の環状部分を成すように設けられている。環状マイクロレンズ群４ｉの数は、当然ながら、老眼鏡レンズ２に配置されているマイクロレンズ４の個数に応じて異なり、例えば所定部分２Ａからレンズ上縁部までマイクロレンズ４が２００個並んでいるとすれば、環状マイクロレンズ群４ｉも同数の２００個あることになる。なお、本実施例では、上述したように所定部分２Ａが下側にオフセット配置されており、所定部分２Ａからレンズ下縁部までに並ぶマイクロレンズの数は２００個より少なく、完全な環形状とならない環状マイクロレンズ群があることは勿論である。
【００４３】
各環状マイクロレンズ群４ｉは、図２に示すようにそれぞれ同度数の複数個のマイクロレンズを一列の環状に配置してなるものであるが、その一方で、特定マイクロレンズ４１や他の環状マイクロレンズ群４ｉとは相互に度数が少しずつ異なるように設定されている。具体的には、所定部分２Ａに配置されている特定マイクロレンズ４１の度数Ｄ１（＋２．５０Ｄ）が最も高く設定されており、その周囲を直接包囲する環状マイクロレンズ群４２の度数Ｄ２（＋２．４９Ｄ）が少し低く設定されており、その外側を包囲する環状マイクロレンズ群４３の度数Ｄ３（＋２．４８Ｄ）、更にその外側を順次包囲する環状マイクロレンズ群４４の度数Ｄ４（＋２．４７Ｄ）、４５の度数Ｄ５（＋２．４６Ｄ）・・のように、レンズの中央から外側に向うにつれて度数が徐々に低くなるように僅かずつ段階的に略一定の割合（０．０１Ｄずつ）で度数変化し、上側のレンズ周縁部で最も低い度数（例えば＋０．６０Ｄ）になるように設定されている。
【００４４】
上記度数変化の割合は極めて小さいが、各環状マイクロレンズ群４ｉの幅をマイクロレンズ１個分（数十ミクロンメートル程度）として度数段階数を非常に多く設けることで、レンズ全体として広い度数範囲を設定できる。例えば、このレンズでは、所定部分２Ａにある度数Ｄ１（＋２．５０Ｄ）の特定マイクロレンズ４１から外側に向かって５１番目の環状マイクロレンズ群４５１の度数Ｄ５１は＋２．００Ｄ、１０１番目の環状マイクロレンズ群４１０１の度数Ｄ１０１は＋１．５０Ｄ、１５１番目の環状マイクロレンズ群４１５１の度数Ｄ１５１は＋１．００Ｄというように大きく変化する。
【００４５】
老眼鏡用レンズ２は、フレーム３の形状に合うように玉型加工した完成品レンズであり且つ最も度数の高い所定部分２Ａがレンズの中心位置２Ｘからやや下側にずらした位置に設定されているため、加工前の原板レンズの状態において、最も高度数の所定部分をその中心位置に対して予めずらした位置に設けている。高度数の所定部分と原板レンズの中心位置をオフセット配置せずに、フレーム形状に合わせる際に中心位置をずらして加工することもできるが、フレームのレンズ嵌め込み部が大きい場合にレンズの大きさが足りなくなることがあり、また、これに対応するために原板レンズを大きくすれば歩留まりが悪化するためである。
【００４６】
老眼鏡用レンズ２は、見る物の距離に適したマイクロレンズ４ｉを脳の働きで無意識に選択し、その選択した度数のマイクロレンズを通して対象物に自動的にピントを合わせるので、すべての物を一枚のレンズで明瞭に見ることができる。具体的には目から２０センチメートル（例えばスマホ画面）、３０センチメートル（例えば書籍）、５０センチメートル（例えばパソコン画面）又は１メートル以上（例えばテレビ画面）離れているもの、更にはこれらの中間的距離にあるもの等、様々な距離にあるものをすべて同じ一枚の老眼鏡用レンズ２で対応することができる。
【００４７】
特に老眼鏡用レンズ２の中央付近に設けられる所定部分２Ａから外側（周縁）に向かって度数が徐々に低くなる多重の環状マイクロレンズ群４ｉをそれぞれマイクロレンズ一列分（数十ミクロンメートル）という非常に小さな幅寸法で構成しており、度数が高低順に細かく変化するようにしたので、使用者が老眼鏡用レンズ２に対して視線を僅かに移動したぐらいでは急激に度数変化したような違和感が生じることはなく、目眩を起こす心配もない。一方、マイクロレンズ４が度数順にかつ連続的に並んでいるので、使用者が見る物に対して近づいたり離れたりしても、その距離に適した度数への切り替えがスムーズに行われて、常に快適に見ることができる。
【００４８】
また、老眼鏡用レンズ２では、従来の多焦点レンズの遠・中・近距離というような粗い度数設定ではなく、非常に細かな間隔で度数が設定されているため、自分に適した大まかな度数範囲が分かれば、精密な視力検査や度数調整等をしなくても、各眼鏡に設定されている度数範囲をもとに直ちに購入し使用することができる。老眼進行で視力が経年変化し或いは朝晩の目の疲れ具合の違いで視力が変動しても、設定度数範囲内であれば、脳が一枚のレンズの中から見たい距離に適した度数部分を適宜選択して、自動的に度数調整されるため、頻繁に眼鏡を作り直したり、掛け替えたりする必要はない。また、使用者の左右視力が少しぐらい異なっていても、左右対称の実質的に同じレンズで対応できるため、老眼鏡の製作コストが抑制される。
【００４９】
なお、読書やスマホ操作等で手許を見る際に、それに合わせて視線を下方に向けるが、そのときに顔をやや下向きにして俯く姿勢になるため、近距離用の短い焦点距離を有する高度数部分を、眼鏡を装着する使用者のアイポイント（瞳の位置）よりもやや下側に設定するぐらいで丁度良い自然な視線になる。そこで、一般に正面を見たときにレンズの中心位置が一致するようにアイポイントの中心位置が設定されることを考慮して、老眼鏡１では、レンズ２の上下方向の中央位置２Ｘよりもやや下側に、最も度数の高いマイクロレンズを配置している。また、このような配置にすることにより、レンズの上部に中距離用〜遠距離用のマイクロレンズが幅広く配置されることになるので、手許以外も見易くなる。
【００５０】
（第１実施例の変形例）
上記第１実施例では、老眼鏡用レンズ２の最も度数が高い所定部分２Ａを一個の特定マイクロレンズ４１で形成したが、これに代えて、図３に示すように同度数の複数個のマイクロレンズを一塊に集合配置してなる塊状のマイクロレンズ群４１´としてもよい。また、同度数のマイクロレンズで構成される各環状マイクロレンズ群４ｉはマイクロレンズを一列に並べた一重列としたが、これに代えて、図３に示す微小レンズ領域群４２´，４３´，４４´・・のように二列（複数列）に並べた多重列としてもよい。また、度数をレンズ中央付近で最も高く、そこから周縁部へ向けて徐々に低くなるようにしたが、用途によっては、これと逆に度数をレンズ中央付近で最も低く、周縁部へ向けて徐々に高くするようにしても良い。
【００５１】
第１実施例では、多数のマイクロレンズを配置できるように、あるいはマイクロレンズ間に非矯正領域を生じさせないように、各マイクロレンズ４を正六角形としたが、これに限らず、多重の環状部分（環状マイクロレンズ群）を形成する上で大きな支障をなければ、円形としても良く、正三角形、正方形、その他の多角形等、他の形状を採用しても良い。また、上記実施形態は、各環状マイクロレンズ群が六角形を構成するようにマイクロレンズを隣接配置したが、これに限らず、円環形状や四角枠形状を成すように配置してもよく、マイクロレンズ間の隙間が大きくなりすぎない範囲で近接配置することにしてもよい。
【００５２】
第１実施例では、読書やスマホ操作等の手許を見る際の利便性を重視して、最も度数の高い所定部分２Ａであるマイクロレンズ４１（４１´）を、使用者のアイポイントよりも少し下側にくるように、レンズの中心位置２Ｘよりもやや下側にオフセット配置したが、これに限らず、レンズの中心位置２Ｘに合わせて配置してもよく、或いはレンズの中央付近から大きく外れない範囲で配置する等その他自由に設定することができる。また、老眼鏡用レンズ２はアクリル等の樹脂を射出成形することとしたが、他の成形方法を採用してもよく、ガラスで形成してもよい。
【００５３】
（第２実施例）
老眼鏡５は、図４に示すように、二枚の老眼鏡用レンズ６、６と、これらのレンズが両眼部に取り付けられるフレーム７で構成される。フレーム７は、第1実施例のフレーム３と同様の構成で、テンプルや鼻当ての図示が省略されている。老眼鏡用レンズ６も第１実施例の老眼鏡用レンズ２と同様に、レンズの光学面を転写するための転写面を有するレンズ用射出成形金型を用いてアクリルやカーボネート等の透明樹脂材料で成形されている。
【００５４】
老眼鏡５に取り付けられている老眼鏡用レンズ６は、中心位置（上下及び左右方向の中央位置）６Ｘより少し下側にオフセット配置されている所定部分６Ａにおいて度数が最も高く（例えば＋２．５０Ｄ）設定されており、図４のグラフに示すように、所定部分６Ａから外側に向かってレンズ周縁部に至るまで度数が徐々に略一定の割合で低くなるように滑らかに度数変化する光学面を有してなる。したがって、老眼鏡用レンズ６の光学面において同度数のポイントを繋ぐように線を描くと、レンズ中央付近に配置されている所定部分６Ａから外側に向かって周縁部に至るまで、図４に示すような同心円状を成すように広がる環状が無数に表れることになる。
【００５５】
老眼鏡用レンズ６は、フレーム７の形状に合うように玉型加工した所謂、完成品レンズであり且つ最も度数の高い所定部分６Ａがレンズの中心位置６Ｘからやや下側にずらした位置に設定されているところ、これに対応するため、加工前の原板レンズの状態において、最も高度数の所定部分をその中心位置に対してずらした位置に設けている。高度数の所定部分と原板レンズの中心位置をオフセット配置していなくても、フレーム形状に合わせる際に中心位置をずらして加工することにより対応できるが、そうした場合には、フレームのレンズ嵌め込み部に対してレンズの大きさが足りなくなることがある。また、更にそれに対応するために原板レンズを大きくすれば、歩留まりが悪化するためである。
【００５６】
老眼鏡５（老眼鏡用レンズ６）によれば、見る物の距離に適した度数を脳の働きで無意識に選択し、その選択した度数の部分を通して対象物に自動的にピントを合わせるので、設定距離範囲のすべての物を一枚のレンズで明瞭に見ることができる。度数が高低順に且つ連続的に変化するので、例えば使用者が見ている物に対して近づいたり離れたりしても、脳の働きにより、その物を見るのに適した度数部分へスムーズに視線が移動して、速やかに度数が切り替わるため、常に快適に見ることができる。
【００５７】
老眼鏡用レンズ６は、従来の多焦点レンズの遠・中・近距離というような粗い度数設定ではなく、所定幅の広い度数範囲において連続的に度数設定されているため、見たい距離を一々想定してそれに合わせた度数調整をしなくても、自分に適した大まかな度数範囲に基づいて眼鏡を選ぶことができる。老眼進行による視力変化や目の疲れ具合による視力変動がある場合でも、一枚のレンズに連続的に設定された度数から見たい距離に適した度数を脳が適宜選択して、自動調整するため、頻繁に眼鏡を作り直したり、掛け替えたりする必要はない。また、使用者の左右視力が少しぐらい異なっていても、左右対称の実質的に同じレンズで対応できるため、老眼鏡５の製作コストが抑制される。
【００５８】
なお、読書やスマホ操作等で手許を見る場合には、それに合わせて視線を下方に向けるが、そのとき自然に俯くように顔もやや下向きになるため、近距離用の短い焦点距離を有する高度数部分を、眼鏡を装着する使用者のアイポイント（瞳の位置）よりもやや下側に配置しておけば、ごく自然な視線で見ることができる。そこで、一般に正面を見たときにアイポイントの中心位置とレンズの中心位置が一致するように設定するのが良いとされていることに基づいて、老眼鏡５では、レンズ６の上下方向の中央位置６Ｘよりもやや下側に、最も度数の高い所定部分６Ａをオフセット配置している。また、このような配置にすることにより、レンズの上部に中距離用〜遠距離用のマイクロレンズが幅広く配置されることになるので、手許以外も見易くなる。
【００５９】
（第２実施例の変形例）
上記第２実施例では、老眼鏡用レンズ６の最も度数が高い所定部分６Ａから外側に向かって連続的に度数が低くなるように滑らかに度数変化する老眼鏡５としたが、これに代えて、図５に示すように、最も度数が高い円形の所定部分６Ａ´から外側に向かって、少し幅のある同心円状の多重の環状部分を成す眼鏡用レンズ６´を備えることにより、段階的に僅かずつ度数変化する老眼鏡５´としても良い。ここで、各環状部分の外径部分と内径部分で挟まれる幅をすべて相互に同じになるよう揃えると共に、各環状部分間の度数変化も略一定にすることにより、所定部分６Ａ´からの距離に応じて度数が一定の割合で切り替わっていくようにしても良い。これもレンズの中央付近に設けられる高度数部分からレンズの周縁部に向けて高低順に度数変化することに変わりなく、使用者に違和感を与えることがない。なお、図５では、作図の都合上、二十段階程度の度数変化になっているが、第１実施例の老眼鏡のように百段階以上の度数設定とすることが好ましい。
【００６０】
上記実施例では、レンズの中央付近に設けられる所定部分６Ａ（６Ａ´）で度数を最も高くして、そこから外側に向かってレンズ周縁部に至るまで度数が徐々に低くなるように設定したが、眼鏡の用途によっては、これとは逆にレンズの中央付近で度数を最も低く、そこから外側に向かってレンズの周縁部に至るまで徐々に度数を高くすることもできる。また、所定部分６Ａ（６Ａ´）の周囲を包囲する多重の環状（環状部分）は、円形状ではなく、楕円形状になるように設定しても良く、それ以外の形状も採用可能である。
【００６１】
上記実施例では、読書やスマホ操作等の手許を見る際の利便性を重視して、最も度数の高い所定部分６Ａ（６Ａ´）を、使用者のアイポイントよりも少し下側にくるように、レンズの中心位置６Ｘ（６Ｘ´）よりやや下側にオフセット配置したが、これに限らずレンズの中心位置に合わせて配置してもよく、或いはレンズの中央付近においてレンズの中心位置より上方に配置する等、その他自由に設定することができる。なお、老眼鏡用レンズ６（６´）は樹脂を射出成形してなるが、他の形成方法、他の材料（ガラス等）を採用しても良い。
【００６２】
上記において、老眼鏡用レンズ及び老眼鏡について説明したが、これに限らず、本発明における度数設定方法は、他の眼鏡用レンズ及び眼鏡にも適用することができる。その他、本発明は上述した実施形態に限定されることなく、要旨を変更しない範囲で種々変更することができるものである。
【符号の説明】
【００６３】
１  老眼鏡
２  老眼鏡用レンズ
３  フレーム
４  マイクロレンズ
４１  特定マイクロレンズ
４２〜４５  環状マイクロレンズ群´
４１´  塊状マイクロレンズ群
４２´〜４５´  環状マイクロレンズ群
５  老眼鏡
６  老眼鏡用レンズ
６Ａ  所定部分（最高度数部分）
６Ｘ  レンズ中心
５´  老眼鏡
６´  老眼鏡用レンズ
６Ａ´  所定部分（最高度数部分）
６Ｘ´  レンズ中心
【図１】
2020109435.tif 000003
【図２】
2020109435.tif 000004
【図３】
2020109435.tif 000005
【図４】
2020109435.tif 000006
【図５】
2020109435.tif 000007